(57)【要約】  モバイルネットワークサービスを提供する網を管理するサーバで、モバイルネットワークサービスについての情報を管理する方法及び装置を提供する。該ネットワークサービス情報管理装置は、ネットワークサービスについての情報が変更されたことを確認する情報変更確認部、変更された情報を含むメッセージを情報サーバに伝送する情報伝送部、及び情報サーバから変更された情報を受け入れることを表す肯定応答メッセージを受信する肯定応答メッセージ受信部を備える。ネットワークサービスについての情報が変更されれば、これを含むメッセージを情報サーバに伝送し、情報サーバがこれを受け入れることを表す肯定応答を伝送するまで所定の回数ほど再伝送することによって、多様なネットワークの情報を動的に情報サーバに更新及び管理可能にし、したがって、モバイルノードに対して最新のネットワーク情報をハンドオーバー情報として提供可能にする。
2009542086.tif 000002
【特許請求の範囲】
【請求項１】
モバイルネットワークサービスを提供する網を管理するサーバで、前記モバイルネットワークサービスについての情報を管理する方法において、
前記ネットワークサービスについての情報が変更されたことを確認するステップと、
前記変更された情報を含むメッセージを情報サーバに伝送するステップと、
前記情報サーバから前記変更された情報を受け入れることを表す肯定応答メッセージを受信するステップと、を含むことを特徴とするネットワークサービス情報管理方法。
【請求項２】
前記変更された情報を含むメッセージは、
前記メッセージのタイプを表すフィールドと、
前記メッセージの長さを表すフィールドと、
前記変更された情報を表すフィールドと、を含むことを特徴とする請求項１に記載のネットワークサービス情報管理方法。
【請求項３】
前記変更された情報を含むメッセージを情報サーバに伝送するステップは、
前記変更された情報をマークアップ言語形態のメッセージに含んで前記情報サーバに伝送するステップを含むことを特徴とする請求項１に記載のネットワークサービス情報管理方法。
【請求項４】
前記情報サーバから肯定応答メッセージを受信するステップは、
前記情報サーバから前記変更された情報を受け入れないことを表す否定応答メッセージを受信するステップと、
前記情報サーバに前記変更された情報を含むメッセージを再伝送するステップと、を含むことを特徴とする請求項１に記載のネットワークサービス情報管理方法。
【請求項５】
前記否定応答メッセージを受信するステップ及び前記変更された情報を含むメッセージを再伝送するステップを所定の回数ほど反復することを特徴とする請求項４に記載のネットワークサービス情報管理方法。
【請求項６】
前記情報サーバから肯定応答メッセージを受信するステップは、
所定の時間の間に前記情報サーバから前記肯定応答メッセージが伝送されることを待つステップと、
前記所定の時間が経過した後、前記情報サーバに前記変更された情報を含むメッセージを再伝送するステップと、を含むことを特徴とする請求項１に記載のネットワークサービス情報管理方法。
【請求項７】
前記情報サーバから肯定応答メッセージを受信するステップは、
前記情報サーバから前記変更された情報のうち、一部の情報を受け入れないことを表す否定応答メッセージを受信するステップと、
前記情報サーバに前記一部の情報を再伝送するステップと、を含むことを特徴とする請求項１に記載のネットワークサービス情報管理方法。
【請求項８】
前記一部の情報を受け入れないことを表す否定応答メッセージは、前記受け入れない一部の情報のリストをオプション形態で含むことを特徴とする請求項７に記載のネットワークサービス情報管理方法。
【請求項９】
モバイルネットワークサービスを提供する網を管理するサーバで、前記モバイルネットワークサービスについての情報を管理する装置において、
前記ネットワークサービスについての情報が変更されたことを確認する情報変更確認部と、
前記変更された情報を含むメッセージを情報サーバに伝送する情報伝送部と、
前記情報サーバから前記変更された情報を受け入れることを表す肯定応答メッセージを受信する肯定応答メッセージ受信部と、を備えることを特徴とするネットワークサービス情報管理装置。
【請求項１０】
前記変更された情報を含むメッセージは、
前記メッセージのタイプを表すフィールドと、
前記メッセージの長さを表すフィールドと、
前記変更された情報を表すフィールドと、を含むことを特徴とする請求項９に記載のネットワークサービス情報管理装置。
【請求項１１】
前記情報伝送部は、
前記変更された情報をマークアップ言語形態のメッセージに含んで前記情報サーバに伝送することを特徴とする請求項９に記載のネットワークサービス情報管理装置。
【請求項１２】
前記肯定応答メッセージ受信部は、
前記情報サーバから前記変更された情報を受け入れないことを表す否定応答メッセージを受信する否定応答メッセージ受信部と、
前記情報サーバに前記変更された情報を含むメッセージを再伝送するメッセージ再伝送部と、を備えることを特徴とする請求項９に記載のネットワークサービス情報管理装置。
【請求項１３】
前記否定応答メッセージの受信動作及び前記変更された情報を含むメッセージの再伝送動作を所定の回数ほど反復することを特徴とする請求項１２に記載のネットワークサービス情報管理装置。
【請求項１４】
前記肯定応答メッセージ受信部は、
所定の時間の間に前記情報サーバから前記肯定応答メッセージが伝送されることを待つメッセージ待機部と、
前記所定の時間が経過した後、前記情報サーバに前記変更された情報を含むメッセージを再伝送するメッセージ再伝送部と、を備えることを特徴とする請求項９に記載のネットワークサービス情報管理装置。
【請求項１５】
前記肯定応答メッセージ受信部は、
前記情報サーバから前記変更された情報のうち、一部の情報を受け入れないことを表す否定応答メッセージを受信する否定応答メッセージ受信部と、
前記情報サーバに前記一部の情報を再伝送する一部情報の再伝送部と、を備えることを特徴とする請求項９に記載のネットワークサービス情報管理装置。
【請求項１６】
前記一部の情報を受け入れないことを表す否定応答メッセージは、前記受け入れない一部の情報のリストをオプション形態で含むことを特徴とする請求項１５に記載のネットワークサービス情報管理装置。
【請求項１７】
モバイルネットワークサービスを提供する網を管理するサーバで、前記モバイルネットワークサービスについての情報が変更されたことを確認するステップと、
前記変更された情報を含むメッセージを情報サーバに伝送するステップと、
前記情報サーバから前記変更された情報を受け入れることを表す肯定応答メッセージを受信するステップと、をコンピュータで実行させるためのプログラムを記録したコンピュータで読み取り可能な記録媒体。
【請求項１８】
モバイルネットワークサービスを提供するネットワークにおいて、
前記ネットワークにあるモバイルノードのハンドオーバー時に利用する前記ネットワークについての情報を保存する情報サーバと、
前記ネットワークを管理し、前記ネットワークについての情報が変更されたことを確認し、前記情報サーバに前記変更された情報を含むメッセージを伝送し、前記変更された情報を受け入れることを表す肯定応答メッセージを前記情報サーバから受信する管理サーバと、を備えることを特徴とするネットワーク。
【請求項１９】
前記変更された情報を含むメッセージは、
前記メッセージのタイプを表すフィールドと、
前記メッセージの長さを表すフィールドと、
前記変更された情報を表すフィールドと、を含むことを特徴とする請求項１８に記載のネットワーク。
【請求項２０】
前記管理サーバは、前記変更された情報をマークアップ言語形態のメッセージに含んで、前記情報サーバに伝送することを特徴とする請求項１８に記載のネットワーク。
【請求項２１】
前記情報サーバは、前記変更された情報を受け入れないことを表す否定応答メッセージを伝送し、
前記管理サーバは、前記否定応答メッセージの受信に対する応答として前記メッセージを再伝送することを特徴とする請求項１８に記載のネットワーク。
【請求項２２】
前記情報サーバは、前記否定応答メッセージを所定の回数ほど反復して伝送し、
前記管理サーバは、前記メッセージを所定の回数ほど反復して再伝送することを特徴とする請求項２１に記載のネットワーク。
【請求項２３】
前記管理サーバは、所定の時間の間に前記肯定応答メッセージ受信を待ち、前記所定の時間が経過した後、前記肯定応答メッセージが受信されない場合に、前記メッセージを再伝送することを特徴とする請求項１８に記載のネットワーク。
【請求項２４】
前記情報サーバは、前記変更された情報のうち一部を受け入れないことを表す否定応答メッセージを伝送し、
前記否定応答メッセージの受信に対する応答として、前記管理サーバは、訂正された情報を含む前記メッセージを再伝送することを特徴とする請求項１８に記載のネットワーク。
【請求項２５】
前記変更された情報のうち一部を受け入れないことを表す前記否定応答メッセージは、前記受け入れない情報のリストを含むことを特徴とする請求項２４に記載のネットワーク。
【請求項２６】
モバイルネットワークサービスを提供する網を管理するサーバで、前記モバイルネットワークサービスについての情報を管理する方法において、
前記モバイルネットワークサービスで感知された変更についての情報を含む更新メッセージを伝送するステップと、
前記変更された情報を受け入れるか、または受け入れないことを表す応答メッセージを前記情報サーバから受信するステップと、を含むことを特徴とするネットワークサービス情報管理方法。
【請求項２７】
前記更新メッセージは、
前記メッセージのタイプを表すフィールドと、
前記メッセージの長さを表すフィールドと、
前記変更された情報を表すフィールドと、を含むことを特徴とする請求項２６に記載のネットワークサービス情報管理方法。
【請求項２８】
前記情報サーバから前記応答メッセージを受信するステップは、
前記情報サーバから前記変更された情報を受け入れないことを表す否定応答メッセージを受信するステップと、
前記情報サーバに訂正された情報を含む前記メッセージを再伝送するステップと、を含むことを特徴とする請求項２６に記載のネットワークサービス情報管理方法。
【請求項２９】
前記否定応答メッセージを受信するステップ及び前記訂正された情報を含む前記メッセージを再伝送するステップを、所定の回数ほど反復することを特徴とする請求項２８に記載のネットワークサービス情報管理方法。
【請求項３０】
前記情報サーバから前記応答メッセージを受信するステップは、
所定の時間の間に前記情報サーバから前記応答メッセージが伝送されることを待つステップと、
前記所定の時間が経過した後、前記情報サーバに前記変更された情報を含むメッセージを再伝送するステップと、を含むことを特徴とする請求項２６に記載のネットワークサービス情報管理方法。
【請求項３１】
前記情報サーバから前記応答メッセージを受信するステップは、
前記情報サーバから前記変更された情報のうち一部の情報を受け入れないことを表す否定応答メッセージを受信するステップと、
前記情報サーバで訂正された情報を含む前記メッセージを再伝送するステップと、を含むことを特徴とする請求項２６に記載のネットワークサービス情報管理方法。
【請求項３２】
前記変更された情報のうち一部の情報を受け入れないことを表す前記否定応答メッセージは、前記受け入れない情報のリストを含むことを特徴とする請求項３１に記載のネットワークサービス情報管理方法。
【請求項３３】
前記応答メッセージは、
前記メッセージのタイプを表すフィールドと、
前記メッセージの長さを表すフィールドと、
前記情報サーバが受け入れない情報を含むフィールドと、を含むことを特徴とする請求項２６に記載のネットワークサービス情報管理方法。
【発明の詳細な説明】
【技術分野】
【０００１】
本発明は、モバイルネットワークでのハンドオーバーに係り、特に、モバイルネットワークサービスを提供する網を管理するサーバでのモバイルネットワークサービスについての情報管理方法及び装置に関する。
【背景技術】
【０００２】
モバイルネットワークでのハンドオーバーとは、モバイルノードが移動中にも現在使用中であるサービスを提供可能にする技術である。
【０００３】
ハンドオーバーを行うためには、モバイルノードが移動した新たなネットワークについての情報が必要であるが、これをハンドオーバー情報という。モバイルノードは、情報サーバという別途のサーバから移動しようとするネットワークについてのハンドオーバー情報を伝達される。
【０００４】
モバイルネットワークサービスを提供する網（ネットワーク）には、その網を管理するサーバが存在する。管理サーバは、自身が管理する網についての情報を有しており、これに対する変更がある場合、これを確認して管理せねばならない。
【０００５】
情報サーバがモバイルノードに正確な情報を与えるためには、管理サーバからそのネットワークについての最新情報を有さねばならない。したがって、ネットワークの管理サーバが変更された情報を情報サーバに伝達して周期的に更新し、かつ管理することが必要である。しかし、現在には、サービス提供者（Ｓｅｒｖｉｃｅ  Ｐｒｏｖｉｄｅｒ：ＳＰ）が直接該当網の情報を管理せねばならない。また、多様な網の情報を動的に（ダイナミックに）管理できる方法は、現在存在しない。
【発明の開示】
【発明が解決しようとする課題】
【０００６】
本発明が解決しようとする技術的課題は、ネットワークサービスについての情報が変更された場合、動的に管理サーバから情報サーバに伝達し、かつ管理する方法及び装置を提供することである。
【０００７】
本発明が解決しようとする技術的課題は、前記ネットワークサービス情報管理方法をコンピュータで実行させるためのプログラムを記録したコンピュータで読み取り可能な記録媒体を提供することである。
【課題を解決するための手段】
【０００８】
前記課題を達成するためのネットワークサービス情報管理方法は、前記ネットワークサービスについての情報が変更されたことを確認するステップと、前記変更された情報を含むメッセージを情報サーバに伝送するステップと、前記情報サーバから前記変更された情報を受け入れることを表す肯定応答メッセージを受信するステップと、を含むことが望ましい。
【０００９】
前記変更された情報を含むメッセージは、前記メッセージのタイプを表すフィールドと、前記メッセージの長さを表すフィールドと、前記変更された情報を表すフィールドと、を含むことが望ましい。
【００１０】
前記変更された情報を含むメッセージを情報サーバに伝送するステップは、前記変更された情報をマークアップ言語形態のメッセージに含んで、前記情報サーバに伝送するステップを含むことが望ましい。
【００１１】
前記情報サーバから肯定応答メッセージを受信するステップは、前記情報サーバから前記変更された情報を受け入れないことを表す否定応答メッセージを受信するステップと、前記情報サーバに前記変更された情報を含むメッセージを再伝送するステップと、を含み、前記否定応答メッセージを受信するステップ及び前記変更された情報を含むメッセージを再伝送するステップを所定の回数ほど反復することが望ましい。
【００１２】
前記情報サーバから肯定応答メッセージを受信するステップは、所定の時間の間に前記情報サーバから前記肯定応答メッセージが伝送されることを待つステップと、前記所定の時間が経過した後、前記情報サーバに前記変更された情報を含むメッセージを再伝送するステップと、を含むことが望ましい。
【００１３】
前記情報サーバから肯定応答メッセージを受信するステップは、前記情報サーバから前記変更された情報のうち一部の情報を受け入れないことを表す否定応答メッセージを受信するステップと、前記情報サーバに前記一部の情報を再伝送するステップと、を含み、前記一部の情報を受け入れないことを表す否定応答メッセージは、前記受け入れない一部の情報のリストをオプション形態で含むことが望ましい。
【００１４】
前記課題を達成するためのネットワークサービス情報管理装置は、前記ネットワークサービスについての情報が変更されたことを確認する情報変更確認部と、前記変更された情報を含むメッセージを情報サーバに伝送する情報伝送部と、前記情報サーバから前記変更された情報を受け入れることを表す肯定応答メッセージを受信する肯定応答メッセージ受信部と、を備えることが望ましい。
【発明の効果】
【００１５】
本発明によるネットワークサービス情報管理方法及び装置によれば、ネットワークサービスについての情報が変更されれば、これを含むメッセージを情報サーバに伝送し、情報サーバがこれを受け入れることを表す肯定応答を伝送するまで所定の回数だけ再伝送することによって、多様なネットワークの情報を動的に情報サーバに更新及び管理可能にし、したがって、モバイルノードに対して最新のネットワーク情報をハンドオーバー情報として提供可能にする。
【発明を実施するための最良の形態】
【００１６】
以下、添付された図面を参照して、本発明によるネットワークサービス情報管理方法及び装置について詳細に説明する。
【００１７】
図１は、本発明の一実施例によるネットワークサービス情報管理装置のブロック図である。図１を参照するに、本発明によるネットワークサービス情報管理装置１００は、情報変更確認部１１０、情報伝送部１２０及び肯定応答メッセージ受信部１３０を備えることが望ましい。
【００１８】
情報変更確認部１１０は、ネットワークサービスについての情報が変更されたことを確認する。情報伝送部１２０は、変更された情報を含むメッセージを情報サーバに伝送する。肯定応答メッセージ受信部１３０は、情報サーバから変更された情報を受け入れることを表す肯定応答（Ａｃｋｎｏｗｌｅｄｇｅｍｅｎｔ：ＡＣＫ）メッセージを受信する。
【００１９】
図２は、本発明によるネットワークサービス情報管理が適用される移動通信環境を示す図である。図２を参照するに、本発明が適用される移動通信環境には、モバイルノード１、ネットワーク管理サーバ２，３、相対ノード（Ｃｏｒｒｅｓｐｏｎｄｅｎｔ  Ｎｏｄｅ：ＣＮ）４、情報サーバ（Ｉｎｆｏｒｍａｔｉｏｎ  Ｓｅｒｖｅｒ：ＩＳ）５，６、そして多数のネットワークが含まれる。
【００２０】
図２に示された移動通信環境でのネットワークトポロジーは、一実施例に過ぎず、当業者ならば、これと異なる多様なトポロジーで構成されうるということが分かるであろう。
【００２１】
モバイルノード１は、移動通信環境を利用する移動端末である。移動通信を利用し始めるとき、モバイルノード１は、ホームネットワーク上のホームエージェント（Ｈｏｍｅ  Ａｇｅｎｔ：ＨＡ）にホームアドレス（Ｈｏｍｅ  Ａｄｄｒｅｓｓ：ＨＯＡ）を登録する。
【００２２】
モバイルノード１が他のネットワーク領域に移動するとき、移動しようとするネットワークで新たなアドレスを獲得する。これを補助アドレス（Ｃａｒｅ  Ｏｆ  Ａｄｄｒｅｓｓ：ＣＯＡ）という。
【００２３】
モバイルノード１は、獲得したＣＯＡをＨＡに送って登録する。ＨＡは、ＣＯＡとＨＯＡとを対応させておく。これをバインディング更新（Ｂｉｎｄｉｎｇ  Ｕｐｄａｔｅ：ＢＵ）という。
【００２４】
相対ノード（ＣＮ）は、モバイルノード１のＨＯＡを知っているので、データをモバイルノード１のＨＯＡに伝送する。伝送されたデータは、ＨＡに伝えられる。ＨＡは、ＣＮからデータ伝送がある場合、ＨＯＡに対応するＣＯＡを目的地アドレスとしてデータを伝送する。
【００２５】
ネットワーク領域には、モバイルノード１とネットワークとを連結する連結地点（Ｐｏｉｎｔ  Ｏｆ  Ａｔｔａｃｈｍｅｎｔ：ＰＯＡ）が存在する。モバイルノード１が連結地点と連結地点との間に移動するとき、ハンドオーバーが必要であるが、これをレイヤ２（Ｌ２）ハンドオーバーという。
【００２６】
また、モバイルノード１が異なるネットワーク領域間を移動するとき、ハンドオーバーが行われるが、これをレイヤ３（Ｌ３）ハンドオーバーという。
【００２７】
図３は、モバイルノード１のネットワーク階層を示す図である。図３を参照するに、モバイルノード１のネットワーク階層は、下位階層１０、ハンドオーバー階層２０、及び上位階層３０を備える。説明の便宜上、情報サーバ４０を図３に共に示した。
【００２８】
下位階層１０は、ＯＳＩ（Ｏｐｅｎ  Ｓｙｓｔｅｍｓ  Ｉｎｔｅｒｃｏｎｎｅｃｔｉｏｎ）参照モデルによって定義された７階層のうち、第２階層及びそれ以下の階層、すなわち、リンク階層、物理（Ｐｈｙｓｉｃａｌ：ＰＨＹ）階層を意味する。
【００２９】
上位階層３０は、ＯＳＩ参照モデルによって定義された７階層のうち、第３階層及びそれ以上の階層、すなわち、インターネットプロトコル（Ｉｎｔｅｒｎｅｔ  Ｐｒｏｔｏｃｏｌ：ＩＰ）階層、モバイルＩＰ階層、伝送階層、アプリケーション階層を意味する。
【００３０】
ハンドオーバー機能階層２０は、下位階層１０と上位階層３０との間の第２.５階層に対応するものであって、下位階層１０及び上位階層３０でのハンドオーバーを支援する。下位階層１０では、Ｌ２ハンドオーバーが行われ、上位階層３０では、Ｌ３ハンドオーバーが行われる。
【００３１】
ハンドオーバー機能階層２０は、イベントサービスモジュール２２、情報サービスモジュール２４及び命令サービスモジュール２６を含むことが望ましい。
【００３２】
イベントサービスモジュール２２は、モバイルノード１で発生する多様なリンク間のハンドオーバーと関連したイベントを検出し、上位階層３０にイベントの発生を報告する。モバイルノード１でハンドオーバーが行われる過程で、上位階層３０でのハンドオーバーが必要であると決定された場合、イベントサービスモジュール２２は、上位階層３０にＬ３ハンドオーバーを行うことを知らせるイベントメッセージを伝送する。
【００３３】
情報サービスモジュール２４は、情報サーバ４０からハンドオーバー情報を獲得するモジュールである。モバイルノード１にハンドオーバー情報を提供するために、情報サーバ４０は、モバイルネットワークサービスについての情報を最新の状態に維持せねばならない。情報サービスモジュール２４で情報サーバ４０にハンドオーバー情報を要請するメッセージ７を伝送すれば、情報サーバ４０は、情報サービスモジュール２４にハンドオーバー情報を含む応答メッセージ８を伝送する。
【００３４】
命令サービスモジュール２６は、上位階層３０からユーザが入力した命令を伝達されて下位階層１０でのハンドオーバーを制御する。ハンドオーバーを行う過程で下位階層のハンドオーバーが必要であると決定された場合、命令サービスモジュール２６は、下位階層１０にＬ２ハンドオーバーを行うようにする命令を伝送する。
【００３５】
図４は、本発明の一実施例によるネットワークサービス情報管理方法を示すフローチャートである。図４を参照するに、まず情報変更確認部１１０は、ネットワークサービスについての情報が変更されたことを確認する（Ｓ１００）。
【００３６】
変更された情報がある場合、情報伝送部１２０は、変更された情報を含むメッセージを情報サーバ４０に伝送する（Ｓ２００）。
【００３７】
情報サーバでは、変更された情報を受け入れれば、ＡＣＫメッセージを送る。肯定応答メッセージ受信部１３０では、情報サーバから肯定応答メッセージを受信する（Ｓ３００）。
【００３８】
変更された情報を情報サーバ４０に送るために、本発明においては、ＴＬＶというメッセージの形態を提案する。
【００３９】
図５は、ＴＬＶメッセージのフォーマットを示す図である。図５に示したように、ＴＬＶメッセージ２００は、メッセージのタイプを表すフィールド２１０、メッセージの長さを表すフィールド２２０、そしてメッセージの値を表すフィールド２３０を含むフォーマットを有する。
【００４０】
本発明による変更された情報を含むメッセージは、ＴＬＶタイプに従い、メッセージの値を表すフィールド２３０に変更された情報を含む。
【００４１】
また、本発明による変更された情報を含むメッセージは、マークアップ言語の形態を有することもある。
【００４２】
図６Ａないし図６Ｃは、本発明の各ステップで使われるＴＬＶメッセージの一実施例を示す。
【００４３】
図６Ａは、管理サーバから情報サーバに変更された情報を伝達するためのメッセージである。図６Ａを参照するに、変更された情報を情報サーバに伝達するメッセージ３００は、メッセージのタイプ３１０として“ＭＩＩＳ＿ＴＬＶ＿ＩＥ＿ＵＰＤＡＴＥ”という値を有し、メッセージの長さ３２０は、伝達しようとする情報の長さによって可変であり、メッセージの値３３０は、変更された情報をリストの形態で伝達する。
【００４４】
図６Ｂは、管理サーバから伝えられた情報を受け入れるとき、情報サーバが管理サーバに伝送するＡＣＫメッセージである。図６Ｂを参照するに、変更された情報を受け入れることを表す肯定応答メッセージ４００は、メッセージのタイプ４１０として“ＭＩＩＳ＿ＴＬＶ＿ＩＥ＿ＵＰＤＡＴＥ＿ＡＣＫ”という値を有する。
【００４５】
情報サーバから伝えられた情報を何れも受け入れた場合、情報サーバは、変更された情報を受け入れたという事実のみを伝達すればよい。したがって、メッセージの値４３０として何の情報も含まず（ＮＵＬＬ）、したがって、メッセージの長さ４２０は０である。
【００４６】
図６Ｃは、管理サーバから伝えられた情報を一部または全部受け入れないとき、情報サーバが管理サーバに伝送する否定応答（Ｎｅｇａｔｉｖｅ  Ａｃｋｎｏｗｌｅｄｇｅｍｅｎｔ：ＮＡＣＫ）メッセージである。図６Ｃを参照するに、変更された情報を受け入れないことを表すＮＡＣＫメッセージ５００は、メッセージのタイプ５１０として“ＭＩＩＳ＿ＴＬＶ＿ＩＥ＿ＵＰＤＡＴＥ＿ＮＡＣＫ”という値を有する。
【００４７】
もし、全部の情報を受け入れなければ、情報サーバは、変更された情報を受け入れなかった事実のみを伝達すればよい。この場合、メッセージの値５３０は、何の情報も含まず、メッセージの長さ５２０は、０となる。
【００４８】
一方、一部の情報を受け入れない場合、メッセージの値５３０は、受け入れない情報をリストの形態で伝達し、メッセージの長さ５２０は、受け入れない情報の長さによって可変的である。
【００４９】
したがって、メッセージの値５３０フィールドは、受け入れない情報のリストをオプション形態で含む。
【００５０】
図７は、情報サーバが一部または全部の情報を受け入れないことを知らせた場合、管理サーバでＡＣＫメッセージを受信するための方法の一実施例を示す図である。
【００５１】
情報サーバは、変更された情報を受け入れないことを、ＮＡＣＫメッセージを伝送することによって知らせる。管理サーバは、情報サーバから伝送されたＮＡＣＫメッセージを受信し（Ｓ３１０）、情報サーバに伝送されたメッセージに問題があるということが分かる。伝送されたメッセージの問題とは、情報サーバが取扱わない情報を伝達した場合やメッセージに含まれた情報の値が誤った値を含む場合である。また、正常的なメッセージがネットワークを通じた伝達過程で損傷された場合もある。
【００５２】
管理サーバでは、このような問題を訂正し、該訂正された事項を含むメッセージを情報サーバに再伝送する（Ｓ３２０）。
【００５３】
このような過程は、情報サーバからＮＡＣＫメッセージを受信した場合だけでなく、所定の時間以内に何のメッセージも受信していない場合にも行われる。
【００５４】
情報サーバが再伝送されたメッセージに含まれた情報を受け入れる場合、肯定応答メッセージを伝送する。肯定応答メッセージを受信すれば、管理サーバは、変更された情報が情報サーバに更新されたということが分かる。
【００５５】
ところが、管理サーバ側で問題点を解決したメッセージを再伝送した場合に、情報サーバが再びこれを受け入れないことをＮＡＣＫメッセージを通じて知らせる場合がある。この時には、図７に示されたステップを反復するが、このような過程が無制限反復されることは望ましくない。
【００５６】
図８は、このような過程の無制限反復を防止するための本発明の実施例を示す図である。
【００５７】
まず、ＮＡＣＫメッセージ受信及び訂正されたメッセージの再伝送が行われる（Ｓ３３０）。そして、情報サーバからＡＣＫメッセージを受信するために待つ。
【００５８】
もし、ＡＣＫメッセージが受信された場合（Ｓ３４０）、変更された情報が情報サーバに反映されたので、終了する。
【００５９】
しかしながら、ＡＣＫメッセージが受信されていない場合、すなわちＮＡＣＫメッセージを受信するか、または所定の時間内に何のメッセージも受信していない場合には、このような問題の発生が所定の回数以内に発生したか否かを確認する（Ｓ３５０）。もし、所定の回数以内であれば、メッセージの再伝送がなされる。
【００６０】
所定の回数を超えて問題が発生したならば、伝えられた情報が情報サーバに反映されないと判断し、手順を終了する。
【００６１】
前述したように、図７及び図８の例で、情報サーバからＮＡＣＫメッセージを受信した場合だけでなく、所定の時間以内にＡＣＫメッセージを受信していない場合にも、同じ過程が行われる。
【００６２】
図９は、一部情報に対するＮＡＣＫメッセージを受信した場合の本発明の一実施例を示す図である。
【００６３】
情報サーバは、図６Ｃに示したようなＮＡＣＫメッセージを伝送する。管理サーバは、ＮＡＣＫメッセージを受信し（Ｓ３６０）、メッセージの値フィールド５３０に含まれた情報のリストを確認する。ＮＡＣＫメッセージに含まれた情報は、情報サーバが受け入れないと判断した情報である。
【００６４】
管理サーバでは、ＮＡＣＫメッセージに含まれた情報のうち、誤った値を有する情報に対しては値を訂正し、該当情報サーバが取扱わない情報が含まれた場合、これをリストから削除する。
【００６５】
このように訂正されたメッセージを再び情報サーバに伝送する（Ｓ３７０）。以後には、図８に示された過程が行われる。
【００６６】
本発明は、コンピュータで読み取り可能な記録媒体にコンピュータ（情報処理機能を有する装置を何れも含む）可読コードとして具現することが可能である。コンピュータで読み取り可能な記録媒体は、コンピュータシステムによって読み取れるデータが保存される全ての種類の記録装置を含む。コンピュータで読み取り可能な記録装置の例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ、磁気テープ、フロッピー（登録商標）ディスク、光データ記録装置がある。
【００６７】
たとえ前記説明が多様な実施例に適用される本発明の新たな特徴に焦点を合わせて説明されたとしても、当業者は、本発明の範囲を逸脱せずにも前記説明された装置、方法の形態及び細部事項で多様な削除、代替、及び変更が可能であるということが理解できるであろう。したがって、本発明の範囲は、前記説明よりは、添付された特許請求の範囲によって定義される。特許請求の範囲の均等範囲内の全ての変形は、本発明の範囲に含まれる。
【図面の簡単な説明】
【００６８】
【図１】本発明の一実施例によるネットワークサービス情報管理装置のブロック図である。
【図２】本発明によるネットワークサービス情報管理が適用される移動通信環境を示す図である。
【図３】モバイルノードのネットワーク階層を示す図である。
【図４】本発明の一実施例によるネットワークサービス情報管理方法を示すフローチャートである。
【図５】ＴＬＶメッセージのフォーマットを示す図である。
【図６Ａ】本発明の各ステップで使われるＴＬＶメッセージの一実施例を示す図である。
【図６Ｂ】本発明の各ステップで使われるＴＬＶメッセージの一実施例を示す図である。
【図６Ｃ】本発明の各ステップで使われるＴＬＶメッセージの一実施例を示す図である。
【図７】情報サーバが一部または全部の情報を受け入れないことを知らせた場合、管理サーバでＡＣＫメッセージを受信するための方法の一実施例を示す図である。
【図８】メッセージ再伝送過程の無制限反復を防止するための本発明の実施例を示す図である。
【図９】一部の情報に対するＮＡＣＫメッセージを受信した場合の本発明の一実施例を示す図である。
【図１】
2009542086.tif 000003
【図２】
2009542086.tif 000004
【図３】
2009542086.tif 000005
【図４】
2009542086.tif 000006
【図５】
2009542086.tif 000007
【図６Ａ】
2009542086.tif 000008
【図６Ｂ】
2009542086.tif 000009
【図６Ｃ】
2009542086.tif 000010
【図７】
2009542086.tif 000011
【図８】
2009542086.tif 000012
【図９】
2009542086.tif 000013
【国際調査報告】
2009542086.tif 000014
2009542086.tif 000015